【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
文書データを構成するページ上においてテンプレートにより指定された指定領域内にデータベースに格納されているデータを挿入して出力する際に、プレビュー画像を出力する情報処理装置であって、
前記データを配置する矩形領域を生成する矩形領域生成手段と、
前記データを閲覧する権限がないユーザから前記文書データの表示を指示された場合に、前記指定領域内に前記矩形領域生成手段によって生成された前記矩形領域を配置したページを表示するための表示制御手段と、
を具備することを特徴とする情報処理装置。
【請求項２】
前記テンプレートにより指定された一つの前記指定領域に挿入される複数のデータそれぞれを配置する各矩形領域を内包するような最大の領域を生成する最大領域生成手段と、
前記最大領域生成手段によって生成された前記最大の領域を配置したページを表示するための最大領域表示制御手段と、
を更に具備することを特徴とする請求項１に記載の情報処理装置。
【請求項３】
前記指定領域に前記データベースに格納されている前記データを挿入し、ユーザの指示に応じて、前記表示制御手段、又は、前記最大領域表示制御手段のいずれかによってページを表示するように制御することを特徴とする請求項２に記載の情報処理装置。
【請求項４】
前記データベースからデータを読み取って、前記データを前記指定領域に関連付けて保存する保存手段を更に具備することを特徴とする請求項１乃至３のいずれか１項に記載の情報処理装置。
【請求項５】
文書データを構成するページ上においてテンプレートにより指定された指定領域内にデータベースに格納されているデータを挿入して出力する際に、プレビュー画像を出力する情報処理装置において実行される情報処理方法であって、
前記情報処理装置の矩形領域生成手段が、前記データを配置する矩形領域を生成する矩形領域生成工程と、
前記情報処理装置の表示制御手段が、前記データを閲覧する権限がないユーザから前記文書データの表示を指示された場合に、前記指定領域内に前記矩形領域生成工程によって生成された前記矩形領域を配置したページを表示するための表示制御工程と、
を具備することを特徴とする情報処理方法。
【請求項６】
前記情報処理装置の最大領域生成手段が、前記テンプレートにより指定された一つの前記指定領域に挿入される複数のデータそれぞれを配置する各矩形領域を内包するような最大の領域を生成する最大領域生成工程と、
前記情報処理装置の最大領域表示制御手段が、前記最大領域生成工程によって生成された前記最大の領域を配置したページを表示するための最大領域表示制御工程と、
を更に具備することを特徴とする請求項５に記載の情報処理方法。
【請求項７】
前記指定領域に前記データベースに格納されている前記データを挿入し、ユーザの指示に応じて、前記表示制御工程、又は、前記最大領域表示制御工程のいずれかによってページを表示するように制御することを特徴とする請求項６に記載の情報処理方法。
【請求項８】
コンピュータを、
文書データを構成するページ上においてテンプレートにより指定された指定領域内にデータベースに格納されているデータを挿入して出力する際に、プレビュー画像を出力する情報処理装置における、
前記データを配置する矩形領域を生成する矩形領域生成手段、
前記データを閲覧する権限がないユーザから前記文書データの表示を指示された場合に、前記指定領域内に前記矩形領域生成手段によって生成された前記矩形領域を配置したページを表示するための表示制御手段と
して機能させることを特徴とする情報処理プログラム。
【請求項９】
コンピュータを、
前記テンプレートにより指定された一つの前記指定領域に挿入される複数のデータそれぞれを配置する各矩形領域を内包するような最大の領域を生成する最大領域生成手段、
前記最大領域生成手段によって生成された前記最大の領域を配置したページを表示するための最大領域表示制御手段と
して更に機能させることを特徴とする請求項８に記載の情報処理プログラム。
【請求項１０】
前記指定領域に前記データベースに格納されている前記データを挿入し、ユーザの指示に応じて、前記表示制御手段、又は、前記最大領域表示制御手段のいずれかによってページを表示するように制御することを特徴とする請求項９に記載の情報処理プログラム。
【手続補正２】
【補正対象書類名】明細書
【補正対象項目名】０００８
【補正方法】変更
【補正の内容】
【０００８】
上記課題を解決するため、本発明の第１の観点に係る情報処理装置は、文書データを構成するページ上においてテンプレートにより指定された指定領域内にデータベースに格納されているデータを挿入して出力する際に、プレビュー画像を出力する情報処理装置であって、データを配置する矩形領域を生成する矩形領域生成手段と、データを閲覧する権限がないユーザから文書データの表示を指示された場合に、指定領域内に矩形領域生成手段によって生成された矩形領域を配置したページを表示するための表示制御手段とを具備する。
【手続補正３】
【補正対象書類名】明細書
【補正対象項目名】０００９
【補正方法】変更
【補正の内容】
【０００９】
また、この情報処理装置は、テンプレートにより指定された一つの指定領域に挿入される複数のデータそれぞれを配置する各矩形領域を内包するような最大の領域を生成する最大領域生成手段と、最大領域生成手段によって生成された最大の領域を配置したページを表示するための最大領域表示制御手段とを、更に具備するようにしても良い。
【手続補正４】
【補正対象書類名】明細書
【補正対象項目名】００１２
【補正方法】変更
【補正の内容】
【００１２】
本発明の第２の観点に係る情報処理方法は、文書データを構成するページ上においてテンプレートにより指定された指定領域内にデータベースに格納されているデータを挿入して出力する際に、プレビュー画像を出力する情報処理方法であって、データを配置する矩形領域を生成する矩形領域生成工程と、データを閲覧する権限がないユーザから文書データの表示を指示された場合に、指定領域内に矩形領域生成工程によって生成された矩形領域を配置したページを表示するための表示制御工程とを具備する。
【手続補正５】
【補正対象書類名】明細書
【補正対象項目名】００１３
【補正方法】変更
【補正の内容】
【００１３】
また、この情報処理方法は、ユーザにより指定された一つの指定領域に挿入される複数のデータそれぞれを配置する各矩形領域を内包するような最大の領域を生成する最大領域生成工程と、最大領域生成工程によって生成された最大の領域を配置したページを表示するための最大領域表示制御工程とを、更に具備するようにしても良い。
【手続補正６】
【補正対象書類名】明細書
【補正対象項目名】００１５
【補正方法】変更
【補正の内容】
【００１５】
本発明の第３の観点に係る情報処理プログラムは、文書データを構成するページ上においてテンプレートにより指定された指定領域内にデータベースに格納されているデータを挿入して出力する際に、プレビュー画像を出力する情報処理プログラムであって、データを配置する矩形領域を生成する矩形領域生成手段と、データを閲覧する権限がないユーザから文書データの表示を指示された場合に、指定領域内に矩形領域生成手段によって生成された矩形領域を配置したページを表示するための表示制御手段とを具備する。
【手続補正７】
【補正対象書類名】明細書
【補正対象項目名】００１６
【補正方法】変更
【補正の内容】
【００１６】
また、この情報処理プログラムは、テンプレートにより指定された一つの指定領域に挿入される複数のデータそれぞれを配置する各矩形領域を内包するような最大の領域を生成する最大領域生成手段と、最大領域生成手段によって生成された最大の領域を配置したページを表示するための最大領域表示制御手段とを、更に具備するようにしても良い。